【手続補正書】
【提出日】平成20年7月28日(2008.7.28)
【手続補正１】
【補正対象書類名】特許請求の範囲
【補正対象項目名】全文
【補正方法】変更
【補正の内容】
【特許請求の範囲】
【請求項１】
直交周波数分割多重方式（ＯＦＤＭ）無線通信において通信リンクを調整する方法であって、
サブチャネルを複数のグループに分割することと、
各グループにおけるチャネル品質ステータスに基づいて、各グループに対するチャネル品質インジケータ（ＣＱＩ）を生成することと、
各グループに対する前記生成したＣＱＩにしたがって各グループの通信パラメータを調整することであって、各ＣＱＩは、パイロットトーンが無い場合に推定されるチャネル応答に基づいて算出される、調整することと
を備えることを特徴とする方法。
【請求項２】
請求項１に記載の方法において、前記ＣＱＩは、信号対雑音比（ＳＮＲ）と、ビット誤り率（ＢＥＲ）と、パケット誤り率（ＰＥＲ）とのうちの１つに基づいて生成されることを特徴とする方法。
【請求項３】
請求項１に記載の方法において、前記グループの数は、サブチャネルのパワーの相関関係にしたがって決定されることを特徴とする方法。
【請求項４】
請求項１に記載の方法において、前記ＣＱＩは、フレームベースのロングトレーニング系列から推定されるチャネル応答に基づいて算出されることを特徴とする方法。
【請求項５】
請求項１に記載の方法において、各サブチャネルの符号化レートは、前記サブチャネルに対応する前記ＣＱＩにしたがって調整するよう構成されていることを特徴とする方法。
【請求項６】
請求項５に記載の方法において、各サブチャネルの変調方式は、前記サブチャネルに対応する前記ＣＱＩにしたがって調整するよう構成されていることを特徴とする方法。
【請求項７】
請求項１に記載の方法において、すべてのサブチャネルの変調方式は、全サブチャネルに基づいて生成される変調方式インジケータにしたがって調整するよう構成されていることを特徴とする方法。
【請求項８】
請求項１に記載の方法において、前記ＣＱＩは、２以上の通信パラメータの組合せを表すことを特徴とする方法。
【請求項９】
請求項１に記載の方法において、相対的に強いパワーを有する経路を選択することをさらに備え、前記選択した経路の有効チャネル応答と、前記選択した経路の位置を示すベクトルとは、前記通信パラメータを調整するために送信されることを特徴とする方法。
【請求項１０】
請求項１に記載の方法において、基準サブキャリアの複数入出力（ＭＩＭＯ）チャネルマトリクスは、キャリブレーションを可能にするために送信されることを特徴とする方法。
【請求項１１】
直交周波数分割多重方式（ＯＦＤＭ）無線通信におけるリンク適応のためのアクセスポイントであって、
複数のグループに分割されるサブチャネルの各グループに対するチャネル品質インジケータ（ＣＱＩ）を、各グループのチャネル品質ステータスに基づいて生成するように構成されたＣＱＩジェネレータと、
各グループに対する前記生成したＣＱＩにしたがって各グループの通信パラメータを調整するように構成されたリンクアダプタであって、各ＣＱＩは、パイロットトーンが無い場合に推定されるチャネル応答に基づいて算出される、リンクアダプタと
を備えたことを特徴とするアクセスポイント。
【請求項１２】
請求項１１に記載のアクセスポイントにおいて、各グループに対する前記ＣＱＩは、信号対雑音比（ＳＮＲ）と、ビット誤り率（ＢＥＲ）と、パケット誤り率（ＰＥＲ）とのうちの１つから生成されることを特徴とするアクセスポイント。
【請求項１３】
請求項１１に記載のアクセスポイントにおいて、前記グループの数は、サブチャネルのパワーの相関関係にしたがって決定されることを特徴とするアクセスポイント。
【請求項１４】
請求項１１に記載のアクセスポイントにおいて、前記ＣＱＩは、フレームベースのロングトレーニング系列から推定されるチャネル応答に基づいて算出されることを特徴とするアクセスポイント。
【請求項１５】
請求項１１に記載のアクセスポイントにおいて、各サブチャネルの符号化レートは、前記サブチャネルに対応する前記ＣＱＩにしたがって調整するよう構成されていることを特徴とするアクセスポイント。
【請求項１６】
請求項１５に記載のアクセスポイントにおいて、各サブチャネルの変調方式は、前記サブチャネルに対応する前記ＣＱＩにしたがって調整するよう構成されていることを特徴とするアクセスポイント。
【請求項１７】
請求項１１に記載のアクセスポイントにおいて、すべてのサブチャネルの変調方式は、全サブチャネルに基づいて生成される変調方式インジケータにしたがって調整するよう構成されていることを特徴とするアクセスポイント。
【請求項１８】
請求項１１に記載のアクセスポイントにおいて、前記ＣＱＩは、２以上の通信パラメータの組合せを表すことを特徴とするアクセスポイント。
【請求項１９】
請求項１１に記載のアクセスポイントにおいて、前記リンクアダプタは、前記ＣＱＩにしたがって通信パラメータを調整するよう構成されたルックアップテーブルを含むことを特徴とするアクセスポイント。
【請求項２０】
請求項１１に記載のアクセスポイントにおいて、相対的に強いパワーを有する経路を選択するように構成されたセレクタをさらに備え、前記選択した経路の有効チャネル応答と、前記選択した経路の位置を示すベクトルとは、前記通信パラメータを調整するために送信されることを特徴とするアクセスポイント。
【請求項２１】
請求項１１に記載のアクセスポイントにおいて、基準サブキャリアの複数入出力（ＭＩＭＯ）チャネルマトリクスは、キャリブレーションを可能にするために送信されることを特徴とするアクセスポイント。
【請求項２２】
複数のグループに分割されるサブチャネルの各グループに対するチャネル品質インジケータ（ＣＱＩ）を、各グループのチャネル品質ステータスに基づいて生成するように構成されたＣＱＩジェネレータであって、各グループに対する前記生成したＣＱＩにしたがって各グループの通信パラメータを調整できるように前記ＣＱＩは送信され、各ＣＱＩは、パイロットトーンが無い場合に推定されるチャネル応答に基づいて算出される、ＣＱＩジェネレータ
を備えたことを特徴とする直交周波数分割多重方式（ＯＦＤＭ）移動局。
【請求項２３】
請求項２２に記載のＯＦＤＭ移動局において、各グループに対する前記ＣＱＩは、信号対雑音比（ＳＮＲ）と、ビット誤り率（ＢＥＲ）と、パケット誤り率（ＰＥＲ）とのうちの１つから生成されることを特徴とするＯＦＤＭ移動局。
【請求項２４】
請求項２２に記載のＯＦＤＭ移動局において、前記グループの数は、サブチャネルのパワーの相関関係にしたがって決定されることを特徴とするＯＦＤＭ移動局。
【請求項２５】
請求項２２に記載のＯＦＤＭ移動局において、前記ＣＱＩは、フレームベースのロングトレーニング系列から推定されるチャネル応答に基づいて算出されることを特徴とするＯＦＤＭ移動局。
【請求項２６】
請求項２２に記載のＯＦＤＭ移動局において、前記ＣＱＩは、２以上の通信パラメータの組合せを表すことを特徴とするＯＦＤＭ移動局。
【請求項２７】
請求項２２に記載のＯＦＤＭ移動局において、相対的に強いパワーを有する経路を選択するように構成されたセレクタをさらに備え、前記選択した経路の有効チャネル応答と、前記選択した経路の位置を示すベクトルとは、前記通信パラメータを調整するために送信されることを特徴とするＯＦＤＭ移動局。